(57)【特許請求の範囲】
【請求項１】
端部に断面形状が略凹状に形成された係止溝が形成されてなる天井パネル材と壁パネル材とを連結部材を介して略直角に連結するパネル材の連結構造において、上記連結部材を、天井パネル材側の係止溝に固定され自由端部側が略Ｌ字状に形成された天井側係止体と、上記壁パネル材の係止溝に固定されるバネ片を有する受体と、から構成し、上記天井側係止体は、係止溝から外方に延設された上記Ｌ字状の係止片部が上記壁パネル材の上面に冠着される形状に形成されていると共に、上記受体のバネ片は、両パネル材を連結したときに天井パネル材の係止溝に弾接係止されることを特徴とするパネル材の連結構造。
【請求項２】
端部に断面形状が略凹状に形成された係止溝が形成されてなる天井パネル材と壁パネル材とを連結部材を介して略直角に連結するパネル材の連結構造において、上記連結部材を、天井パネル材側の係止溝に固定され自由端部側が略Ｌ字状に形成された天井側係止体と、上記壁パネル材の係止溝に固定されるバネ片を有する受体と、から構成し、上記受体は、係止溝から垂直方向に延設された係止片部に上記天井側係止体が挿通可能な穴部を形成すると共に、該穴部の周縁部から上記バネ片を延設し、上記天井側係止体の先端部を上記受体の穴部に挿入し落とし込んだときに、上記バネ片が上記天井側係止体の平面部に弾接係止されることを特徴とするパネル材の連結構造。
【発明の詳細な説明】
【０００１】
【発明の属する技術分野】
この発明は、浴室ユニット等の天井パネル材と壁パネル材との連結構造に係り、特に、両パネル材を略直角状に連結することが非常に容易で、かつ、連結解除も容易なパネル材の連結構造に関する。
【０００２】
【従来技術とその課題】
従来のこの種の天井パネル材と壁パネル材とを連結する手段としては、両パネル材の端部に形成された断面略凹状の係止溝に、逆Ｌ字状に形成された連結部材を嵌合し連結しているのが一般的である。
【０００３】
しかしながら、上記従来の天井パネル材と壁パネル材の連結構造にあっては、単に逆Ｌ型に形成された連結部材を両パネル材の係止溝に嵌合させて連結しているだけの構成であるため、経時使用による震動等の作用によって天井パネル材が浮き上がり、接合部に間隙が発生する、という問題を有していると共に、連結部材で連結した後は、上記浮き上がりを防止するため、上記接合部を連結金具で固定しなければならず、また、躯体との当たりに注意しなければならないため、内組み作業が非常に煩雑である、という問題を有していた。
【０００４】
この発明は、かかる現状に鑑み創案されたものであって、その目的とするところは、天井パネル材と壁パネル材との連結を、躯体との当たりを考えることなく極めて容易に連結することができると共に、経時使用によっても天井パネル材が浮き上がる心配がなく、さらに、上記連結状態の解除も容易なパネル材の連結構造を提供しようとするものである。
【０００５】
【課題を解決するための手段】
上記目的を達成するため、この発明にあっては、端部に断面形状が略凹状に形成された係止溝が形成されてなる天井パネル材と壁パネル材とを連結部材を介して略直角に連結するパネル材の連結構造を技術的前提とし、上記連結部材を、天井パネル材側の係止溝に固定され自由端部側が略Ｌ字状に形成された天井側係止体と、上記壁パネル材の係止溝に固定されるバネ片を有する受体と、から構成し、上記天井側係止体は、係止溝から外方に延設された上記Ｌ字状の係止片部が上記壁パネル材の上面に冠着される形状に形成されていると共に、上記受体のバネ片は、両パネル材を連結したときに天井パネル材の係止溝に弾接係止したことを特徴とするものである。
【０００６】
また、この発明にあっては、上記目的を達成する他の手段として、端部に断面形状が略凹状に形成された係止溝が形成されてなる天井パネル材と壁パネル材とを連結部材を介して略直角に連結するパネル材の連結構造を技術的前提とし、上記連結部材を、天井パネル材側の係止溝に固定され自由端部側が略Ｌ字状に形成された天井側係止体と、上記壁パネル材の係止溝に固定されるバネ片を有する受体と、から構成し、上記受体は、係止溝から垂直方向に延設された係止片部に上記天井側係止体が挿通可能な穴部を形成すると共に、該穴部の周縁部から上記バネ片を延設し、上記天井側係止体の先端部を上記受体の穴部に挿入し落とし込んだときに、上記バネ片が上記天井側係止体の平面部に弾接係止したことを特徴とするものである。
【０００７】
【発明の実施の形態】
以下、添付図面に基づき、この発明の実施の形態例を詳細に説明する。
【０００８】
図１と図２は、この発明の実施の第１形態例に係る天井パネル材１Ａと壁パネル材１Ｂとの連結構造を示しており、両パネル材１Ａ，１Ｂの接合側枠部２Ａ，２Ｂには断面形状が略凹状に形成された係止溝３Ａ，３Ｂが夫々形成されており、該両パネル材１Ａ，１Ｂは、係止溝３Ａ，３Ｂに夫々固定された連結部材５を介して略直角状に連結するように構成されている。
【０００９】
尚、上記係止溝３Ａ，３Ｂは、この形態例では、両パネル材１Ａ，１Ｂの接合側枠部２Ａ，２Ｂの長手方向に沿って所要間隔毎に所要数が形成されているが、この発明にあってはこれに限定されるものではなく、場合によっては両パネル材１Ａ，１Ｂの接合側枠部２Ａ，２Ｂの全長にわたって形成することもでき、この場合には、上記連結部材５もこれに対応する長さ及び形状に適宜形成される。
【００１０】
上記連結部材５は、天井パネル材１Ａ側の係止溝３Ａに固定される天井側係止体１０と、上記壁パネル材１Ｂの係止溝３Ｂに固定されるバネ片２６を有する受体２０と、から構成されている。
【００１１】
上記天井側係止体１０は、上記係止溝３Ａの底部に密着してビス１１を介して固着される座部１２と、この座部１２から水平方向に延設された延長片部１３と、この延長片部１３から逆凹状に形成された嵌合係止片部１４と、から構成されており、該嵌合係止片部１４は、前記壁パネル１Ｂの上端部に冠着される大きさに形成されている。
【００１２】
一方、上記受体２０は、壁パネル材１Ｂの上端部に形成された係止溝３Ｂの底部にビス２７を介して密着固定される座部２１と、この座部２１の一端部から逆凹状に形成され上記壁パネル材１Ｂの室内側周縁部に冠装される延長片部２２と、該延長片部２２の外側片部２３に切り起し形成された上記バネ片２６と、から構成されている。
【００１３】
それ故、この形態例に係る天井パネル材１Ａと壁パネル材１Ｂの連結構造にあっては、先ず、天井パネル材１Ａの係止溝３Ａに、上記天井側係止体１０の座部１２をビス１１で固着する。このとき、上記天井側係止体１０の嵌合係止片部１４は、逆凹状にセットされる。
【００１４】
一方、上記壁パネル材１Ｂの係止溝３Ｂの室内側周縁部に上記受体２０の延長片部２２を冠装すると共に、該受体２０の座部２１を係止溝３Ｂの底部にビス２７で固着する。
【００１５】
次に、上記天井パネル材１Ａを壁パネル材１Ｂに落とし込むと、上記天井側係止体１０の嵌合係止片部１４が壁パネル１Ｂの上端部に冠着される。このとき、上記受体２０のバネ片２６が天井パネル１Ａの係止溝３Ａに弾接係止するので、上記連結状態は経時保持される。
【００１６】
このように、この形態例に係る天井パネル材１Ａと壁パネル材１Ｂの連結構造にあっては、天井パネル材１Ａを壁パネル材１Ｂへと落とし込むだけの作業で容易に連結することができ、しかも、他の固定金具で上記連結状態を補強する必要もないため、躯体との当たりを考えることなく連結することができるため、完全な内組み作業を行うことができる。
【００１７】
また、上記連結状態を解除する場合には、例えば、ドライバー等の工具で上記バネ片２６を押圧しながら天井パネル材１Ａを持ち上げるだけで、極めて容易に上記連結状態を解除することができる。
【００１８】
図３乃至図５は、この発明の実施の第２形態例に係る天井パネル材１Ａと壁パネル材１Ｂとの連結構造を示しており、この形態例では、両パネル材１Ａ，１Ｂの接合側枠部２Ａ，２Ｂには断面形状が略凹状に形成された係止溝３Ａ，３Ｂが夫々形成されており、該両パネル材１Ａ，１Ｂは、係止溝３Ａ，３Ｂに夫々固定された連結部材５を介して略直角状に連結するように構成されている。
【００１９】
そして、上記連結部材５は、天井パネル材１Ａ側の係止溝３Ａに固定される天井側係止体３０と、上記壁パネル材１Ｂの係止溝３Ｂに固定されるバネ片４６，４６を有する受体４０と、から構成されている。
【００２０】
上記天井側係止体３０は、上記係止溝３Ａの底部に密着してビス３１を介して固着される座部３２と、この座部３２から水平方向に延設された延長片部３３と、この延長片部３３から横倒Ｌ字状に形成された係止片部３４と、から構成されている。
【００２１】
一方、上記受体４０は、壁パネル材１Ｂの上端部に形成された係止溝３Ｂの底部にビス４７を介して密着固定される座部４１と、この座部４１の一端部から垂直方向に延設された延長片部４２と、該延長片部４２に開設された矩形状の穴部４３と、この穴部４３の上縁部から天井パネル方向に切り起し形成された上記バネ片４６，４６と、から構成されており、上記穴部４３は、上記天井側係止体３０の係止片部３４が挿通可能な大きさを有して開設されている。
【００２２】
それ故、この形態例に係る天井パネル材１Ａと壁パネル材１Ｂの連結構造にあっては、先ず、天井パネル材１Ａの係止溝３Ａに、上記天井側係止体３０の座部３２をビス３１で固着する。このとき、上記天井側係止体３０の係止片部３４の先端部は、下方向に垂設された状態でセットされる。
【００２３】
一方、上記壁パネル材１Ｂの係止溝３Ｂの底部に、ビス４７を介して上記受体４０の座部４１を密着固定する。
【００２４】
次に、上記天井パネル材１Ａに固着された天井側係止体３０の係止片部３４を上記壁パネル材１Ｂに固着された受体４０の穴部４３に挿通した後、該天井パネル材１Ａを自重落下させる。このとき、上記受体４０のバネ片４６，４６は、上記天井側係止体３０の係止片部３４に押圧されて延長片部４２の裏面側へと後退するが、上記係止片部３４が落とし込まれて、上記壁パネル１Ｂの裏側周縁部に係止されると、上記各バネ片４６，４６は原位置へと付勢力により復帰し、図５に示すように、上記天井側係止体３０の水平な延長片部３３に弾接係合するので、上記連結状態は経時保持される。
【００２５】
このように、この形態例に係る天井パネル材１Ａと壁パネル材１Ｂの連結構造にあっては、天井パネル材１Ａの係止片部３４を壁パネル材１Ｂの受体４０の穴部４３に挿通し落とし込むだけの作業で容易に連結することができ、しかも、他の固定金具で上記連結状態を補強する必要もないため、躯体との当たりを考えることなく連結することができるため、完全な内組み作業を行うことができる。
【００２６】
勿論、上記連結状態を解除する場合には、天井パネル材１Ａを持ち上げた後に該天井パネル材１Ａを壁パネル材１Ｂから離間する方向に引き抜くだけで、極めて容易に上記連結状態を解除することができる。
【００２７】
【発明の効果】
この発明に係るパネル材の連結構造は、以上説明したように構成されているので、天井パネル材と壁パネル材との連結を、躯体との当たりを考えることなく極めて容易に連結することができると共に、経時使用によっても天井パネル材が浮き上がる心配がなく、さらに、上記連結状態の解除も容易である等の優れた効果が得られる。
【図面の簡単な説明】
【図１】この発明の実施の第１形態例に係る天井パネル材と壁パネル材の連結構造を分解して示す断面説明図である。
【図２】同天井パネル材と壁パネル材の連結状態を示す断面説明図である。
【図３】この発明の実施の第２形態例に係る天井パネル材と壁パネル材の連結構造を分解して示す断面説明図である。
【図４】同連結に用いられる受体の構成を示す正面図である。
【図５】同天井パネル材と壁パネル材の連結状態を示す断面説明図である。
【符号の説明】
１Ａ  天井パネル材
１Ｂ  壁パネル材
２Ａ，２Ｂ  接合側枠部
３Ａ，３Ｂ  係止溝
５  連結部材
１０，３０  天井側係止体
２０，４０  受体
２６，４６  バネ片
【図１】
0003705463.tif 000002
【図２】
0003705463.tif 000003
【図３】
0003705463.tif 000004
【図４】
0003705463.tif 000005
【図５】
0003705463.tif 000006